(57)【要約】      （修正有）【課題】歯周病を予防する自分だけの歯周病予防用マウスピースを提供する。【解決手段】ゴム弾性を有する熱可塑性エラストマー製で、歯列に沿って弯曲するほぼ馬蹄形の平面輪郭形状で、縦断面ほぼＨ字形に一体成形されたマウスピースＭであって、その縦断面ほぼＨ字形をなす上向き開口凹溝Ｇ１と下向き開口凹溝Ｇ２との内面には、使用者における上歯１１と下歯１２との噛合による歯形が各々賦形され、上向き開口凹溝は上歯とその歯茎１６との歯周ポケットＰ１を内外方向から被覆できる深さの内外両側壁１３ａ、１３ｂを備えている一方、下向き開口凹溝は下歯とその歯茎１７との歯周ポケットＰ２を内外方向から被覆できる深さの内外両側壁１４ａ、１４ｂを備えており、上向き開口凹溝における外側壁１３ｂの内面と、下向き開口凹溝における外側壁１４ｂの内面に、フッ素ジェルやその他の歯周病予防薬剤を付着、滞溜、湿潤又は含浸させ得る弾褥膜１８ｂ、１９ｂが各々付属一体化されている。【選択図】図４
0003213368.tif 000002
【実用新案登録請求の範囲】
【請求項１】
ゴム弾性を有する熱可塑性エラストマーから、歯列に沿って弯曲する全体的なほぼ馬蹄形の平面輪郭形状で、しかも縦断面ほぼＨ字形に一体成形されたマウスピース（Ｍ）であって、
その縦断面ほぼＨ字形をなす上向き開口凹溝（Ｇ１）と下向き開口凹溝（Ｇ２）との内面には、使用者における上歯（１１）と下歯（１２）との噛合による歯形が各々賦形されていると共に、
上記上向き開口凹溝（Ｇ１）は上歯（１１）とその歯茎（１６）との歯周ポケット（Ｐ１）を内外方向から被覆できる深さ（Ｄ１）の内外両側壁（１３ａ）（１３ｂ）を備えている一方、上記下向き開口凹溝（Ｇ２）は下歯（１２）とその歯茎（１７）との歯周ポケット（Ｐ２）を内外方向から被覆できる深さ（Ｄ２）の内外両側壁（１４ａ）（１４ｂ）を備えており、
その上向き開口凹溝（Ｇ１）における少なくとも外側壁（１３ｂ）の内面と、下向き開口凹溝（Ｇ２）における少なくとも外側壁（１４ｂ）の内面に、フッ素ジェルやその他の歯周病予防薬剤を付着、滞溜、湿潤又は含浸させ得る綿や不織布、スポンジ、その他の弾褥膜（１８ｂ）（１９ｂ）が各々付属一体化されていることを特徴とする自分だけの歯周病予防用マウスピース。
【請求項２】
縦断面ほぼＨ字形の上向き開口凹溝（Ｇ１）における内外両側壁（１３ａ）（１３ｂ）が上歯（１１）へ臨む基端部に、通気窓（２０ａ）（２０ｂ）が各々開口形成されていると共に、
同じく下向き開口凹溝（Ｇ２）の内外両側壁（１４ａ）（１４ｂ）が下歯（１２）へ臨む基端部に、通気窓（２１ａ）（２１ｂ）が各々開口形成されている一方、
上記上向き開口凹溝（Ｇ１）の少なくとも外側壁（１３ｂ）が歯周ポケット（Ｐ１）へ臨む先端部の内面と、上記下向き開口凹溝（Ｇ２）の少なくとも外側壁（１４ｂ）が歯周ポケット（Ｐ２）へ臨む先端部の内面に、フッ素ジェルやその他の歯周病予防薬剤を付着、滞溜、湿潤又は含浸させ得る綿や不織布、スポンジ、その他の弾褥膜（１８ｂ）（１９ｂ）が各々固着一体化されていることを特徴とする請求項１記載の自分だけの歯周病予防用マウスピース。
【請求項３】
縦断面ほぼＨ字形の上向き開口凹溝（Ｇ１）における内外両側壁（１３ａ）（１３ｂ）の内面と、同じく下向き開口凹溝（Ｇ２）における内外両側壁（１４ａ）（１４ｂ）の内面に、フッ素ジェルやその他の歯周病予防薬剤を付着、滞溜、湿潤又は含浸させ得る綿や不織布、スポンジ、その他の弾褥膜（１８ａ）（１８ｂ）（１９ａ）（１９ｂ）が各々固着一体化されていることを特徴とする請求項１又は２記載の自分だけの歯周病予防用マウスピース。
【請求項４】
ゴム弾性を有する熱可塑性エラストマーから、歯列に沿って弯曲する全体的なほぼ馬蹄形の平面輪郭形状で、しかも縦断面ほぼ横向きＴ字形に一体成形されたマウスピース（Ｍ）であって、
その縦断面ほぼ横向きＴ字形をなす上向き外側壁（１３ｂ）と下向き外側壁（１４ｂ）との内面並びにその上下境界面（１５）には、使用者における上歯（１１）と下歯（１２）との噛合による歯形が各々賦形されていると共に、
上記上向き外側壁（１３ｂ）は上歯（１１）とその歯茎（１６）との歯周ポケット（Ｐ１）を外側から被覆できる深さ（Ｄ１）を備えている一方、上記下向き外側壁（１４ｂ）は下歯（１２）とその歯茎（１７）との歯周ポケット（Ｐ２）を外側から被覆できる深さ（Ｄ２）を備えており、
その上向き外側壁（１３ｂ）の内面と下向き外側壁（１４ｂ）の内面に、フッ素ジェルやその他の歯周病予防薬剤を付着、滞溜、湿潤又は含浸させ得る綿や不織布、スポンジ、その他の弾褥膜（１８ｂ）（１９ｂ）が各々付属一体化されていることを特徴とする自分だけの歯周病予防用マウスピース。
【請求項５】
縦断面ほぼ横向きＴ字形の上向き外側壁（１３ｂ）が上歯（１１）へ臨む基端部に、通気窓（２０ｂ）が開口形成されていると共に、
同じく下向き外側壁（１４ｂ）が下歯（１２）へ臨む基端部に、通気窓（２１ｂ）が開口形成されている一方、
上記上向き外側壁（１３ｂ）が歯周ポケット（Ｐ１）へ臨む先端部の内面と、上記下向き外側壁（１４ｂ）が歯周ポケット（Ｐ２）へ臨む先端部の内面に、フッ素ジェルやその他の歯周病予防薬剤を付着、滞溜、湿潤又は含浸させ得る綿や不織布、スポンジ、その他の弾褥膜（１８ｂ）（１９ｂ）が各々固着一体化されていることを特徴とする請求項４記載の自分だけの歯周病予防用マウスピース。
【請求項６】
縦断面ほぼ横向きＴ字形をな上向き外側壁（１３ｂ）と下向き外側壁（１４ｂ）との相互間に介在する境界面（１５）の先端部から、下歯（１２）へ係脱自在に係止し得るフック片（２２）が張り出し形成されていることを特徴とする請求項４又は５記載の自分だけの歯周病予防用マウスピース。
【考案の詳細な説明】
【技術分野】
【０００１】
本考案は主として歯周病を予防するための自分専用マウスピースに関する。
【背景技術】
【０００２】
歯周病を予防するためのマウスピースが、特許文献１〜３に開示されている。
【０００３】
そのうち、特許文献１、２に記載されたマウスピースの構成では、口腔における上下歯列のみか又は上下歯列並びに上下歯茎の外側（前面／表面）と、上下口唇との相互間へ、隔離板やプレート状の被覆部を差し込み装着使用することにより、口腔内の乾燥を抑え、唾液の感染予防（抗菌・洗浄）の効果を発揮させて、歯周病の予防や治療に役立てるようになっている。
【０００４】
これに対して、特許文献３に記載された歯周病防止具の構成では、歯茎の表裏（内外／前後）両面へ同時に当接できる断面ほぼＨ型の本体部を備えており、その本体部から内向きに突出するブラシ毛状の異種金属を、歯茎の表裏（内外／前後）両面へ当接させることによって、その歯茎と歯根内に電流を流し、電気殺菌するようになっている。
【０００５】
特許文献３に記載の歯周病防止具は、歯茎の表裏両面へ同時に当接できる断面ほぼＨ型であって、しかも柔軟な弾性材料から歯列に沿って弯曲するマウスピース状に形成された本体部を備えている点で、本考案に最も近似する公知技術であると考えられる。
【先行技術文献】
【特許文献】
【０００６】
【特許文献１】特開２０１４−１４７６５８号公報
【特許文献２】特許第５７２８７８４号公報
【特許文献３】特開２００７−１２５０９８号公報
【考案の概要】
【考案が解決しようとする課題】
【０００７】
ところが、特許文献３に記載の歯周病防止具では、断面ほぼＨ型をなす本体部の装着溝から内向きに突出するブラシ毛状の第１、２金属が、歯茎の表裏両面に当接すると、その互いに電位の異なる異種金属間の通電性によって、歯茎と歯根内に電流が流れ、その電気殺菌作用に基き歯周病を予防する趣旨であり、フッ素ジェルやその他の歯周病予防薬剤を塗布することによって、歯周病を予防するものではない。
【０００８】
この点、歯茎の表裏両面に当接する吸水性弾性体が具備された別な実施例でも、上記第１、２金属は不可欠な構成になっているため、電気殺菌作用によって歯周病を予防する趣旨であることに変りはない。
【０００９】
何れにしても、互いに電位が異なる異種金属の第１金属（例えば標準電極電位の高い銀や金、パラジウム、白金、炭素など）と第２金属（例えば標準電極電位の低いチタンやマグネシウムなど）を、弾性素材から断面ほぼＨ型に形成された本体部の歯茎と当接する部位へ、具備させること（手段・方法）は甚だ困難であり、その高い生産性を期待することができない。
【００１０】
また、上記歯周病防止具の断面ほぼＨ型本体部が弾性素材から、たとえマウスピース状に形成されているとしても、その本体部には使用者各自の歯形が賦形されていないため、その装着溝へ上歯と下歯を差し込んで噛合しても、その完全にフィットした安定・確固な装着感を得られず、脱落しないまでもガタつき、違和感を生じることは必至である。
【課題を解決するための手段】
【００１１】
本考案はこのような課題の改良を目的としており、その目的を達成するために、請求項１ではゴム弾性を有する熱可塑性エラストマーから、歯列に沿って弯曲する全体的なほぼ馬蹄形の平面輪郭形状で、しかも縦断面ほぼＨ字形に一体成形されたマウスピースであって、
【００１２】
その縦断面ほぼＨ字形をなす上向き開口凹溝と下向き開口凹溝との内面には、使用者における上歯と下歯との噛合による歯形が各々賦形されていると共に、
【００１３】
上記上向き開口凹溝は上歯とその歯茎との歯周ポケットを内外方向から被覆できる深さの内外両側壁を備えている一方、上記下向き開口凹溝は下歯とその歯茎との歯周ポケットを内外方向から被覆できる深さの内外両側壁を備えており、
【００１４】
その上向き開口凹溝における少なくとも外側壁の内面と、下向き開口凹溝における少なくとも外側壁の内面に、フッ素ジェルやその他の歯周病予防薬剤を付着、滞溜、湿潤又は含浸させ得る綿や不織布、スポンジ、その他の弾褥膜が各々付属一体化されていることを特徴とする。
【００１５】
また、請求項２では縦断面ほぼＨ字形の上向き開口凹溝における内外両側壁が上歯へ臨む基端部に、通気窓が各々開口形成されていると共に、
【００１６】
同じく下向き開口凹溝の内外両側壁が下歯へ臨む基端部に、通気窓が各々開口形成されている一方、
【００１７】
上記上向き開口凹溝の少なくとも外側壁が歯周ポケットへ臨む先端部の内面と、上記下向き開口凹溝の少なくとも外側壁が歯周ポケットへ臨む先端部の内面に、フッ素ジェルやその他の歯周病予防薬剤を付着、滞溜、湿潤又は含浸させ得る綿や不織布、スポンジ、その他の弾褥膜が各々固着一体化されていることを特徴とする。
【００１８】
請求項３では縦断面ほぼＨ字形の上向き開口凹溝における内外両側壁の内面と、同じく下向き開口凹溝における内外両側壁の内面に、フッ素ジェルやその他の歯周病予防薬剤を付着、滞溜、湿潤又は含浸させ得る綿や不織布、スポンジ、その他の弾褥膜が各々固着一体化されていることを特徴とする。
【００１９】
他方、請求項４ではゴム弾性を有する熱可塑性エラストマーから、歯列に沿って弯曲する全体的なほぼ馬蹄形の平面輪郭形状で、しかも縦断面ほぼ横向きＴ字形に一体成形されたマウスピースであって、
【００２０】
その縦断面ほぼ横向きＴ字形をなす上向き外側壁と下向き外側壁との内面並びにその上下境界面には、使用者における上歯と下歯との噛合による歯形が各々賦形されていると共に、
【００２１】
上記上向き外側壁は上歯とその歯茎との歯周ポケットを外側から被覆できる深さを備えている一方、上記下向き外側壁は下歯とその歯茎との歯周ポケットを外側から被覆できる深さを備えており、
【００２２】
その上向き外側壁の内面と下向き外側壁の内面に、フッ素ジェルやその他の歯周病予防薬剤を付着、滞溜、湿潤又は含浸させ得る綿や不織布、スポンジ、その他の弾褥膜が各々付属一体化されていることを特徴とする。
【００２３】
請求項５では縦断面ほぼ横向きＴ字形の上向き外側壁が上歯へ臨む基端部に、通気窓が開口形成されていると共に、
【００２４】
同じく下向き外側壁が下歯へ臨む基端部に、通気窓が開口形成されている一方、
【００２５】
上記上向き外側壁が歯周ポケットへ臨む先端部の内面と、上記下向き外側壁が歯周ポケットへ臨む先端部の内面に、フッ素ジェルやその他の歯周病予防薬剤を付着、滞溜、湿潤又は含浸させ得る綿や不織布、スポンジ、その他の弾褥膜が各々固着一体化されていることを特徴とする。
【００２６】
更に、請求項６では縦断面ほぼ横向きＴ字形をな上向き外側壁と下向き外側壁との相互間に介在する境界面の先端部から、下歯へ係脱自在に係止し得るフック片が張り出し形成されていることを特徴とする。
【考案の効果】
【００２７】
請求項１の構成によれば、そのマウスピースの縦断面ほぼＨ字形をなす上向き開口凹溝が、上歯とその歯茎との間隙（歯周ポケット）を内外方向から被覆できる深さの内外両側壁を備え、同じく下向き開口凹溝が下歯とその歯茎との間隙（歯周ポケット）をやはり内外方向から被覆できる深さの内外両側壁を備えており、その上向き開口凹溝における少なくとも外側壁の内面と、下向き開口凹溝における少なくとも外側壁の内面には、各々綿や不織布、スポンジ、その他の弾褥膜が付属一体化されているため、使用者が就寝時にその弾褥膜へフッ素ジェルやその他の歯周病予防薬剤を塗布した上、その上向き開口凹溝へ差し込んだ上歯と下向き開口凹溝へ差し込んだ下歯とを噛み合わせた状態に保つことにより、上記弾褥膜に付着、滞溜、浸潤又は含浸された歯周病予防薬剤が使用者の睡眠中に、上歯とその歯茎との歯周ポケット並びに下歯とその歯茎との歯周ポケットへ、少なくとも外側から働いて、その使用者の歯周病を自づと確実に予防することができる。
【００２８】
その場合、上記マウスピースはゴム弾性を有する熱可塑性エラストマーから、歯列に沿って弯曲する全体的なほぼ馬蹄形の平面輪郭形状で、且つ縦断面ほぼＨ字形に一体成形されており、しかもその縦断面ほぼＨ字形をなす上向き開口凹溝と下向き開口凹溝との内面には、使用者における上歯と下歯との噛み合わせるよる歯形が各々賦形されているため、その使用者としては自分だけの歯周病予防用マウスピースとして、その上歯と下歯に常時フイットした安定・確固な装着状態を得られ、使用中不慮に位置ズレしたり、ガタついたりするおそれがない。歯周病のみならず、歯ぎしりや鼾の予防にも有効である。
【００２９】
特に、請求項２の構成を採用するならば、上記上向き開口凹溝の内外両側壁が上歯へ臨む基端部と、上記下向き開口凹溝の内外両側壁が下歯へ臨む基端部には、各々通気窓が開口形成されているため、使用者が就寝時に上向き開口凹溝へ差し込んだ上歯と下向き開口凹溝へ差し込んだ下歯とを噛み合わせた状態にあっても、その睡眠中の呼吸を容易に行えるのであり、息苦しさやその他の不快感を招来するおそれがない。
【００３０】
更に、請求項３の構成を採用するならば、上記上向き開口凹溝と下向き開口凹溝における外側壁の内面のみならず、同じく上向き開口凹溝と下向き開口凹溝における内側壁の内面にも、フッ素ジェルやその他の歯周病予防薬剤を付着、滞溜、湿潤又は含浸させ得る綿や不織布、スポンジ、その他の弾褥膜が付属一体化されているため、上歯とその歯茎との歯周ポケット並びに下歯とその歯茎との歯周ポケットへ、外側と内側との両方向から働く歯周病予防薬剤により、使用者の歯周病をますます確実に予防できることとなる。
【００３１】
他方、請求項４の構成によれば、そのマウスピースは上記請求項１のような縦断面ほぼＨ字形でなく、その上向き開口凹溝と下向き開口凹溝との内側壁を具備しない縦断面ほぼ横向きＴ字形に一体成形されているため、請求項１の構成に伴う上記効果を得られるほか、使用者にとって上歯と下歯との噛み合わせによる装着を、比較的拘束少なく容易に行え、息苦しさやその他の違和感を生ずるおそれもない。
【００３２】
その場合、請求項５の構成を採用するならば、請求項２の構成に伴う上記効果とほぼ同じ効果を達成することができ、快適な使用に役立つ。
【００３３】
また、請求項６の構成を採用するならば、縦断面ほぼ横向きＴ字形のマウスピースであっても、その上向き外側壁と下向き外側壁との相互間に介在するほぼ水平な境界面の先端部（内端部／後端部）から張り出すフック片が、そのマウスピースの装着時に使用者の下歯へ係止し得るようになっているため、位置ズレや脱落などを起すおそれがなく、安定・確固な装着状態を得られる効果がある。
【図面の簡単な説明】
【００３４】
【図１】本考案の第１実施形態に係るマウスピースの斜面図である。
【図２】図１の中央縦断面図である。
【図３】図２のマウスピースに弾褥膜を固着した状態の縦断面図である。
【図４】上記マウスピースの使用状態を示す断面図である。
【図５】別な使用状態を示す図４に対応する断面図である。
【図６】マウスピースの第２実施形態を示す斜面図である。
【図７】図６の中央縦断面図である。
【図８】上記マウスピースの使用状態を示す断面図である。
【図９】マウスピースの第３実施形態を示す斜面図である。
【図１０】図９の中央縦断面図である。
【図１１】上記マウスピースの使用状態を示す断面図である。
【図１２】上記マウスピースの変形実施形態を示す図１１に対応する使用状態の断面図である。
【考案を実施するための形態】
【００３５】
以下、図面に基いて本考案の具体的構成を詳述する。図１〜５はその本考案の第１実施形態を示しており、（Ｍ）はゴム弾性を有するスチレン系エラストマーやその他の熱可塑性エラストマーから、歯列に沿って弯曲する全体的なほぼ馬蹄形の平面輪郭形状で、しかも縦断面ほぼＨ字形に一体成形されたマウスピースであって、一定の幅（Ｗ）と厚み（Ｔ）を備えている。
【００３６】
このようなマウスピース（Ｍ）を５０〜９０℃（好ましくは７０℃）程度に加熱した熱湯中へ、３０〜６０秒（望ましくは４５秒）程度浸漬して、軟化させた後、その軟化状態にあるマウスピース（Ｍ）を冷め過ぎないうちに、使用者が自分の口腔内へ挿入して、５〜１０秒間程度ゆっくりと強く噛み締めることにより、その縦断面ほぼＨ字形をなす上向き開口凹溝（Ｇ１）の内面に上歯（１１）の歯形を、同じく下向き開口凹溝（Ｇ２）の内面に下歯（１２）の歯形を各々賦形する。
【００３７】
つまり、マウスピース（Ｍ）の上向き開口凹溝（Ｇ１）へ上歯（１１）を、下向き開口凹溝（Ｇ２）へ下歯（１２）を各々差し込んで、強く噛み合わせることにより、その上向き開口凹溝（Ｇ１）における向かい合う内外両側壁（１３ａ）（１３ｂ）の内面には上歯（１１）の歯形が、下向き開口凹溝（Ｇ２）における向かい合う内外両側壁（１４ａ）（１４ｂ）の内面には下歯（１２）の歯形が各々賦形されることになる。（１５）はその上向き開口凹溝（Ｇ１）と下向き開口凹溝（Ｇ２）との背中合わせになるほぼ水平の境界面であるが、ここにも上歯（１１）と下歯（１２）との噛合による歯形が一挙同時に賦形される結果となる。そのため、最後に冷却固化したマウスピース（Ｍ）として使用に供する。
【００３８】
その場合、上記マウスピース（Ｍ）を使用者の口腔内へ挿入使用した時、その上向き開口凹溝（Ｇ１）の向かい合う内外両側壁（１３ａ）（１３ｂ）は上歯（１１）とその歯茎（１６）との間隙（歯周ポケット）（Ｐ１）を内外方向から被覆できる深さ（Ｄ１）を有しており、同じく下向き開口凹溝（Ｇ２）の向かい合う内外両側壁（１４ａ）（１４ｂ）は下歯（１２）とその歯茎（１７）との間隙（歯周ポケット）（Ｐ２）を内外方向から被覆できる深さ（Ｄ２）を備えている。
【００３９】
また、上向き開口凹溝（Ｇ１）と下向き開口凹溝（Ｇ２）との背中合わせになる上記境界面（１５）の厚み（ｔ）は、上歯（１１）と下歯（１２）との噛合力を繰り返し受けるため、その上向き開口凹溝（Ｇ１）における内外両側壁（１３ａ）（１３ｂ）の厚み（ｔ１）や下向き開口凹溝（Ｇ２）における内外両側壁（１４ａ）（１４ｂ）の厚み（ｔ２）よりも、厚く設定（寸法化）されており、その耐久強度の向上によって就寝時の歯ぎしり防止にも役立つようになっている。
【００４０】
そして、上記縦断面ほぼＨ字形をなすマウスピース（Ｍ）の上向き開口凹溝（Ｇ１）と下向き開口凹溝（Ｇ２）における内外両側壁（１３ａ）（１３ｂ）（１４ａ）（１４ｂ）のうち、少なくともその外側壁（１３ｂ）（１４ｂ）の内面には図３のようなフッ素ジェルやその他の歯周病予防薬剤を付着、滞溜、湿潤又は含浸させ得る綿や不織布、スポンジ、その他の弾褥膜（１８ｂ）（１９ｂ）が、各々接着や溶着、その他の固着手段によって付属一体化されている。
【００４１】
本考案の第１実施形態に係るマウスピース（Ｍ）は上記構成を備えているため、その使用に当っては就寝時にマウスピース（Ｍ）を自分の口腔内へ挿入して、図４のようにその縦断面ほぼＨ字形の上向き開口凹溝（Ｇ１）へ差し込んだ上歯（１１）と、同じく下向き開口凹溝（Ｇ２）へ差し込んだ下歯（１２）とを噛み合わせた状態に保つ。
【００４２】
そうすれば、上歯（１１）とその歯茎（１６）との間隙（歯周ポケット）（Ｐ１）が上向き開口凹溝（Ｇ１）の外側壁（１３ｂ）によって外側から被覆されると共に、下歯（１２）とその歯茎（１７）との間隙（歯周ポケット）（Ｐ２）が下向き開口凹溝（Ｇ２）の外側壁（１４ｂ）によって外側から被覆されるため、その外側壁（１３ｂ）（１４ｂ）の内面に予じめ付属している弾褥膜（１８ｂ）（１９ｂ）へ、フッ素ジェルやその他の歯周病予防薬剤（図示省略）を塗布して、その睡眠中の一定時間だけ付着、滞溜、湿潤又は含浸した状態に保つことにより、使用者の歯周病を確実に予防することができる。
【００４３】
つまり、外側の上記歯周ポケット（Ｐ１）（Ｐ２）は内側のそれと異なって、殺菌作用がある唾液によって洗浄されないため、就寝中に歯周病に罹患・進行しやすいが、その歯周ポケット（Ｐ１）（Ｐ２）を外側から被覆する上記外側壁（１３ｂ）（１４ｂ）の内面に、歯周病予防薬剤を付着、滞溜、湿潤又は含浸した弾褥膜（１８ｂ）（１９ｂ）が付属一体化されているため、その外側から自づと安定良く作用する歯周病予防薬剤によって、上記歯周病の罹患・進行を予防することができるのである。
【００４４】
しかも、その場合マウスピース（Ｍ）はゴム弾性を有する熱可塑性エラストマーから成り、その縦断面ほぼＨ字形をなす上向き開口凹溝（Ｇ１）の内面と下向き開口凹溝（Ｇ２）の内面には、使用者における上歯（１１）の歯形と下歯（１２）の歯形が各々賦形されているため、常にその上歯（１１）と下歯（１２）にフイットした安定・確固な装着状態を得られ、ガタツキや位置ズレなどの違和感を生じるおそれがない。使用者だけの歯周病予防用マウスピース（Ｍ）として、有効に便利良く使えるのである。
【００４５】
この点、図４は縦断面ほぼＨ字形の上向き開口凹溝（Ｇ１）と下向き開口凹溝（Ｇ２）における外側壁（１３ｂ）（１４ｂ）の内面に、弾褥膜（１８ｂ）（１９ｂ）が付属一体化されたマウスピース（Ｍ）の使用状態を示しているが、別な使用状態を示す図５から明白なように、上記上向き開口凹溝（Ｇ１）と下向き開口凹溝（Ｇ２）における外側壁（１３ｂ）（１４ｂ）の内面だけでなく、その内側壁（１３ａ）（１４ａ）の内面にも上記した弾褥膜（１８ａ）（１９ａ）を付属一体化させておき、上歯（１１）とその歯茎（１６）との間隙（歯周ポケット）（Ｐ１）並びに下歯（１２）とその歯茎（１７）との間隙（歯周ポケット）（Ｐ２）を内側から被覆する弾褥膜（１８ａ）（１９ａ）にも、やはりフッ素ジェルやその他の歯周病予防薬剤を塗布して、その付着、滞溜、湿潤又は含浸した状態に保つことにより、使用者の歯周病を予防しても良い。
【００４６】
次に、図６〜８は本考案の第２実施形態を示しており、そのマウスピース（Ｍ）の構成では縦断面ほぼＨ字形の所定深さ（Ｄ１）（Ｄ２）を有する上向き開口凹溝（Ｇ１）と下向き開口凹溝（Ｇ２）における内外両側壁（１３ａ）（１３ｂ）（１４ａ）（１４ｂ）のうち、その上歯（１１）と下歯（１２）へ各々臨む基端部に使用者の呼吸しやすくする通気窓（２０ａ）（２０ｂ）（２１ａ）（２１ｂ）が、歯列に沿って延在する細長い帯状に開口形成されている。
【００４７】
そして、その内外両側壁（１３ａ）（１３ｂ）（１４ａ）（１４ｂ）における上歯（１１）とその歯茎（１６）との間隙（歯周ポケット）（Ｐ１）へ臨む先端部の内面と、同じく内外両側壁（１３ａ）（１３ｂ）（１４ａ）（１４ｂ）における下歯（１２）とその歯茎（１７）との間隙（歯周ポケット）（Ｐ２）へ臨む先端部の内面に、各々フッ素ジェルやその他の歯周病予防薬剤を付着、滞溜、湿潤又は含浸させ得る弾褥膜（１８ａ）（１８ｂ）（１９ａ）（１９ｂ）が、やはり接着やその他の固着手段によって付属一体化されている。
【００４８】
その場合、図７、８では上記第１実施形態の図５と同じく、上向き開口凹溝（Ｇ１）と下向き開口凹溝（Ｇ２）における外側壁（１３ｂ）（１４ｂ）の先端部内面のみならず、その内側壁（１３ａ）（１４ａ）の先端部内面にも上記弾褥膜（１８ａ）（１８ｂ）（１９ａ）（１９ｂ）を付属一体化させているが、上記第１実施形態の図３、４と同じく、その外側壁（１３ｂ）（１４ｂ）における先端部の内面だけに上記弾褥膜（１８ｂ）（１９ｂ）を付属一体化させても良い。
【００４９】
尚、その他の構成と使用法は上記第１実施形態と実質的に同一であるため、その図６〜８に図１〜５と同じ符号を記入するにとどめて、その第２実施形態の詳細な説明を省略する。
【００５０】
更に、図９〜１２は本考案の第３実施形態を示しており、これではマウスピース（Ｍ）がゴム弾性を有する熱可塑性エラストマーから、上記縦断面ほぼＨ字形でなく、その上向き開口凹溝（Ｇ１）と下向き開口凹溝（Ｇ２）との内側壁（１３ａ）（１４ａ）を具備しない縦断面ほぼ横向きＴ字形に一体成形されている。
【００５１】
つまり、そのマウスピース（Ｍ）はほぼ水平な境界面（１５）から上向く外側壁（１３ｂ）と下向く外側壁（１４ｂ）との一対を備えており、その上向き外側壁（１３ｂ）は上歯（１１）とその歯茎（１６）との間隙（歯周ポケット）（Ｐ１）を外側から被覆できる深さ（Ｄ１）を有する一方、下向き外側壁（１４ｂ）は下歯（１２）とその歯茎（１７）との間隙（歯周ポケット）（Ｐ２）を外側から被覆できる深さ（Ｄ２）を有している。しかも、その上下両外側壁（１３ｂ）（１４ｂ）の相互間に介在する境界面（１５）の先端部（内端部／後端部）からは、下歯（１２）へ係脱自在に係止し得るフック片（２２）が下向き連続的に張り出された構成である。
【００５２】
但し、その第３実施形態のマウスピース（Ｍ）における上下両外側壁（１３ｂ）（１４ｂ）の内面とそのほぼ水平の境界面（１５）には、上記第１実施形態と同じく、使用者における上歯（１１）と下歯（１２）との噛合により、その上歯（１１）の歯形と下歯（１２）の歯形とが一挙同時に賦形されて、やはりその使用者だけの専用として使うことかできるようになっている。
【００５３】
そして、上記縦断面ほぼ横向きＴ字形をなす上下両外側壁（１３ｂ）（１４ｂ）の内面に、フッ素ジェルやその他の歯周病予防薬剤を付着、滞溜、湿潤又は含浸させ得る弾褥膜（１８ｂ）（１９ｂ）が、やはり接着やその他の固着手段によって付属一体化されており、これによって上記歯周ポケット（Ｐ１）（Ｐ２）を外側から被覆できるようになっている。
【００５４】
本考案の第３実施形態に係るマウスピース（Ｍ）は上記構成を備えているため、その使用に当ってはこれを就寝時、図１１のように使用者の口腔内へ挿入して、その上歯（１１）と下歯（１２）へ外側から被覆状態に当てがうと共に、上記境界面（１５）のフック片（２２）を下歯（１２）へ係止させた安定状態のもとで、その境界面（１５）に上歯（１１）と下歯（１２）とを噛み合わせ維持する。
【００５５】
そうすれば、上歯（１１）とその歯茎（１６）との間隙（歯周ポケット）（Ｐ１）並びに下歯（１２）とその歯茎（１７）との間隙（歯周ポケット）（Ｐ２）が、上下一対の外側壁（１３ｂ）（１４ｂ）によって外側から被覆されることになり、その内面には弾褥膜（１８ｂ）（１９ｂ）が予じめ付属一体化されているため、その弾褥膜（１８ｂ）（１９ｂ）に付着、滞溜、湿潤又は含浸されたフッ素ジェルやその他の歯周病予防薬剤により、使用者の歯周病を予防することができる。
【００５６】
その第３実施形態のマウスピース（Ｍ）についても、図１２に示す変形実施形態から明白なように、上記第２実施形態と同じ趣旨の通気窓（２０ｂ）（２１ｂ）をその上下両外側壁（１３ｂ）（１４ｂ）の基端部へ各々開口形成する共に、その残る上下両外側壁（１３ｂ）（１４ｂ）の上記間隙（歯周ポケット）（Ｐ１）（Ｐ２）へ臨む先端部の内面に、上記弾褥膜（１８ｂ）（１９ｂ）を付属一体化させておくことができる。
【００５７】
尚、第３実施形態におけるその他の構成は上記第１実施形態と実質的に同一であるため、その図９〜１２に図１〜５と同じ符号を記入するにとどめて、その詳細な説明を省略する。上記第１〜３実施形態の何れにあっても、そのマウスピース（Ｍ）を使用者が就寝中上歯（１１）と下歯（１２）によって噛むようになっているため、歯周病の予防のみならず、歯ぎしりや鼾の予防にも役立ち、実益大である。
【符号の説明】
【００５８】
（１１）・上歯
（１２）・下歯
（１３ａ）・上向き開口凹溝の内側壁
（１３ｂ）・上向き開口凹溝の外側壁
（１４ａ）・下向き開口凹溝の内側壁
（１４ｂ）・下向き開口凹溝の外側壁
（１５）・境界面
（１６）（１７）・歯茎
（１８ａ）（１８ｂ）（１９ａ）（１９ｂ）・弾褥膜
（２０ａ）（２０ｂ）（２１ａ）（２１ｂ）・通気窓
（２２）・フック片
（Ｇ１）・上向き開口凹溝
（Ｇ２）・下向き開口凹溝
（Ｍ）・マウスピース
（Ｐ１）（Ｐ２）・歯周ポケット
（Ｄ１）（Ｄ２）・深さ
（Ｔ）・厚み
（Ｗ）・幅
（ｔ）（ｔ１）（ｔ２）・厚み
【図１】
0003213368.tif 000003
【図２】
0003213368.tif 000004
【図３】
0003213368.tif 000005
【図４】
0003213368.tif 000006
【図５】
0003213368.tif 000007
【図６】
0003213368.tif 000008
【図７】
0003213368.tif 000009
【図８】
0003213368.tif 000010
【図９】
0003213368.tif 000011
【図１０】
0003213368.tif 000012
【図１１】
0003213368.tif 000013
【図１２】
0003213368.tif 000014